(57)【特許請求の範囲】
【請求項１】
複数のヘッドの設けられたヘリカルスキャン型のヘッドドラムを有して成る磁気記録装置において、
入力される所定のデータ列に対して、このデータ列を任意のブロックに区切り、この区切られたブロックごとに一の系列でアウターパリティを付加した後、他の系列でインナーパリティを付加してＥＣＣブロックを生成する手段を設けると共に、
結合した複数の上記ＥＣＣブロックを、上記アウターパリティの系列が分割されるように上記ブロックを横断して分割し、この分割ごとに上記複数のヘッドのそれぞれ異なるヘッドに分配し、上記ヘッドに分配されたデータ列が、上記ヘッドごとの記録されるタイミングで上記ＥＣＣブロックを横断する方向に所定量ずつシフトして供給される手段と、
上記インナーパリティの付加されたデータ列に、磁気記録に必要な直流成分の除去のためのランダム化の処理を行い、上記ランダム化処理が行われたデータ列に所定の同期信号が付加されると共に、上記同期信号の付加されたデータ列により、上記複数のヘッドの間隔に対応した所定の遅延量を有する遅延補正手段とを設けたことを特徴とする磁気記録装置。
【請求項２】
請求項１記載の磁気記録装置において、
上記ヘッドに供給されるデータ列の分配及びシフトは、上記アウターパリティの付加された後に記憶されるメモリの読み出しアドレスを制御して行う磁気記録装置。
【請求項３】
請求項１記載の磁気記録装置において、
上記ヘッドに供給されるデータ列をシフトする所定量は、上記アウターパリティの系列が分割される方向の上記ブロックの数を、上記ヘッドの数で除した数に相当する量にした磁気記録装置。
【発明の詳細な説明】
【０００１】
【産業上の利用分野】
本発明は、複数のヘッドの設けられたヘリカルスキャン型のヘッドドラムを用いてデータ列の記録を行う磁気記録装置に関するものである。
【０００２】
【従来の技術】
ディジタルＶＴＲやデータレコーダ等のデータ列の記録を行う磁気記録装置においては、記録再生時の誤りの発生に対処するために、これらの誤りを訂正するための誤り訂正コード（ＥＣＣ）を付加して記録することが行われている。
【０００３】
すなわち供給される任意のデータ列に対して、最初に時系列でアウターパリティが生成付加される。ここで例えば図３のＡに示すように、７７バイトのデータ列に対して２７バイトのアウターパリティが生成され、このアウターパリティがデータ列に付加される。このアウターパリティの付加されたデータ列の、例えば２１４個分が、順次例えば図３のＢに示すように記憶される。
【０００４】
そしてこの記憶されたデータ列に対して、例えばアウターパリティの系列と直交する系列でインナーパリティが生成付加される。ここでは例えば図３のＣに示すように直交する系列で読み出された２１４バイトのデータ列に対して、例えば図３のＤに示すように、まず２バイトのブロックＩＤが付加される。さらにこのブロックＩＤを含む２１６バイトのデータ列に対して１２バイトのインナーパリティが生成され、このインナーパリティがデータ列に付加される。
【０００５】
これによって供給された任意のデータ列に対して、一の系列でアウターパリティが付加された後、他の系列でインナーパリティが付加される。そしてこれらのパリティの付加されたデータ列が記録再生されることによって、これらのアウター／インナーパリティを用いて記録再生時の誤りの発生への対処が行われる。
【０００６】
なお記録再生は、例えば１回のヘッドの走査で形成される斜めの１トラックに対して、７７×２１４バイトの入力データ列にアウター／インナーパリティ等の付加されたＥＣＣブロックの、２ブロック分が記録再生される。すなわち例えば４個のヘッドの設けられたヘリカルスキャン型のヘッドドラムの１回転では、４トラックが形成され、ＥＣＣブロックの８ブロック分が記録再生される。
【０００７】
ところがこのような装置において、記録再生時の誤りの発生の一つの原因として、ヘッドの目詰まり（クロッグ）や、記録媒体のヘッド走査方向の損傷によって、１トラックのデータ列が連続して誤りとなるものがある。このような誤りが発生した場合に、上述のＥＣＣブロックの全データ列が誤りとなると、このブロックのデータ列を再生することはもはや不可能になってしまう。
【０００８】
そこでこのようなヘッドの目詰まりやトラック方向の損傷に対処するために、上述のＥＣＣブロックを分割して、この分割ごとにそれぞれ異なるヘッドに分配して記録再生することが考えられた。
【０００９】
すなわち例えば図６に示すように、ヘリカルスキャン型のヘッドドラムの１回転で記録される８個のＥＣＣブロックに対して、これらのＥＣＣブロックが図示のように、これらのブロックを横断して４つに分割される。そしてこれらの分割されたデータ列が、それぞれ４個のヘッドに供給される。なお図中のＡ１、Ａ２・・・、Ｂ１、Ｂ２・・・、Ｃ１、Ｃ２・・・、Ｄ１、Ｄ２・・・は、それぞれインナーパリティを形成付加した２２８バイトのデータ列を示す。
【００１０】
従って記録媒体には、例えば図７に示すようにＡ１、Ａ２・・・、Ｂ１、Ｂ２・・・、Ｃ１、Ｃ２・・・、Ｄ１、Ｄ２・・・のデータ列が異なるトラックに記録される。これによって、例えば１トラックが連続して誤りとなっても、この誤りは上述のＥＣＣブロックを形成するデータ列の１／４であり、上述のように７７バイトのデータ列に２７バイトのアウターパリティを付加している場合には、この誤りを訂正することが可能なものである。
【００１１】
しかしながら上述の装置において、記録再生時の誤りの発生の他の原因として、記録媒体の走行方向に損傷が発生して、各トラックの特定の位置のデータ列が誤りとなるものがある。このような誤りが発生した場合に、上述の図７のように記録が行われていると、例えばＡ１に誤りが発生したときに、Ｂ１、Ｃ１、Ｄ１にも誤りが発生する。これは上述の図６で、同じＥＣＣブロックに誤りが集中して発生することになる。
【００１２】
そこでこのように誤りが集中して発生したＥＣＣブロックは、誤りを訂正し切れずに誤りのデータ列が再生されてしまう可能性が高くなる。従って上述の装置では、全体のデータ列の損傷が余り多くない場合でも、誤りが集中して発生したＥＣＣブロックで誤りを訂正し切れずに、誤りのデータ列が再生されてしまう恐れがある。
【００１３】
【発明が解決しようとする課題】
この出願はこのような点に鑑みて成されたものであって、解決しようとする問題点は、従来の装置では、記録媒体の走行方向に損傷が発生した場合に、全体のデータ列の損傷が余り多くない場合でも、誤りが集中して発生したＥＣＣブロックで誤りを訂正し切れずに、誤りのデータ列が再生されてしまう恐れがあるというものである。
【００１４】
【課題を解決するための手段】
本発明による第１の手段は、複数のヘッドの設けられたヘリカルスキャン型のヘッドドラムを有して成る磁気記録装置において、入力される所定のデータ列に対して、このデータ列を任意のブロックに区切り、この区切られたブロックごとに一の系列でアウターパリティを付加した後、他の系列でインナーパリティを付加してＥＣＣブロックを生成する手段（パリティ生成付加回路２、５）を設けると共に、結合した複数の上記ＥＣＣブロックを、上記アウターパリティの系列が分割されるように上記ブロックを横断して分割し、この分割ごとに上記複数のヘッドのそれぞれ異なるヘッドに分配し、上記ヘッドに分配されたデータ列が、上記ヘッドごとの記録されるタイミングで上記ＥＣＣブロックを横断する方向に所定量ずつシフトして供給される手段（ランダムアクセスメモリ３、メモリ制御回路４）と、上記インナーパリティの付加されたデータ列に、磁気記録に必要な直流成分の除去のためのランダム化の処理を行い、上記ランダム化処理が行われたデータ列に所定の同期信号が付加されると共に、上記同期信号の付加されたデータ列により、上記複数のヘッドの間隔に対応した所定の遅延量を有する遅延量が補正する遅延補正手段（ランダム化回路６、同期発生回路７、遅延補正８）とを設けたことを特徴とする磁気記録装置である。
【００１５】
本発明による第２の手段は、第１の手段記載の磁気記録装置において、上記ヘッドに供給されるデータ列の分配及びシフトは、上記アウターパリティの付加された後に記憶されるメモリの読み出しアドレスを制御して行う磁気記録装置である。
【００１６】
本発明による第３の手段は、第１の手段記載の磁気記録装置において、上記ヘッドに供給されるデータ列をシフトする所定量は、上記アウターパリティの系列が分割される方向の上記ブロックの数を、上記ヘッドの数で除した数に相当する量にした磁気記録装置である。
【００１７】
【作用】
これによれば、ヘッドに分配されたデータ列が、ヘッドごとの記録されるタイミングでブロックを横断する方向に所定量ずつシフトして供給されることによって、記録媒体の走行方向に損傷が発生した場合にも一つのブロックに誤りが集中することがなく、全体のデータ列の再生を良好に行うことができる。
【００１８】
【実施例】
図１において、１は入力信号としての任意のデータ列が供給される入力端子である。この入力端子１からの任意のデータ列がアウターパリティの生成付加回路２に供給されて、例えばリード＝ソロモン符号によるアウターパリティが生成され、このアウターパリティがデータ列に付加される。すなわち例えば７７バイトのデータ列に対して２７バイトのアウターパリティが生成され、このアウターパリティがデータ列に付加される。
【００１９】
このアウターパリティの付加されたデータ列がランダムアクセスメモリ（ＲＡＭ）３に記憶される。ここでこのランダムアクセスメモリ３では、アウターパリティの付加されたデータ列の、例えば２１４個分がブロック（ＥＣＣブロック）を形成するように記憶が行われる。さらにこのランダムアクセスメモリ３に記憶されたデータ列がメモリ制御回路４からの制御信号によって読み出される。
【００２０】
そしてこの読み出しの順番が、上述のアウターパリティの系列と直交する系列で行われると共に、例えば図２に示すような８個のＥＣＣブロックに対して、アウターパリティの系列を分割してＥＣＣブロックを横断する方向に行われ、さらにこの分割ごとにＥＣＣブロックを横断する方向に所定量ずつ読み出し開始位置をシフトして読み出が行われる。なお図中のＡ１、Ａ２・・・、Ｂ１、Ｂ２・・・、Ｃ１、Ｃ２・・・、Ｄ１、Ｄ２・・・は、それぞれ上述のアウターパリティの系列と直交する系列の例えば２１４バイトのデータ列を示す。
【００２１】
すなわち、各分割Ａ〜Ｄについて、それぞれ
Ａ＝ A1  A2  A3  A4  A5  A6  A7  A8  A9  A10 A11 A12 A13 A14 A15・・・
Ｂ＝ B7  B8  B1  B2  B3  B4  B5  B6  B15 B16 B9  B10 B11 B12 B13・・・
Ｃ＝ C5  C6  C7  C8  C1  C2  C3  C4  C13 C14 C15 C16 C9  C10 C11・・・
Ｄ＝ D3  D4  D5  D6  D7  D8  D1  D2  D11 D12 D13 D14 D15 D16 D9 ・・・
となるように読み出しが行われる。
【００２２】
この読み出されたデータ列がインナーパリティの生成付加回路５に供給されて、例えばリード＝ソロモン符号によるインナーパリティが生成され、このインナーパリティがデータ列に付加される。すなわち上述の直交する系列で読み出された２１４バイトのデータ列に対して、２バイトのブロックＩＤが設けられ、このブロックＩＤを含む２１６バイトのデータ列に対して１２バイトのインナーパリティが生成され、このインナーパリティがデータ列に付加される。
【００２３】
このインナーパリティの付加されたデータ列がランダム化回路６に供給され、磁気記録に必要な直流成分の除去等のためのランダム化の処理が行われる。さらにランダム化回路６からのデータ列が同期発生回路７に供給されて、所定の同期信号（パターン）が付加される。この同期信号の付加されたデータ列が遅延回路８に供給されて、後述するＡ／ＣヘッドとＢ／Ｄヘッドに対する遅延量が補正される。
【００２４】
この遅延量の補正された２つのデータ列が、それぞれここまでの並列のデータ列をヘッドで記録する直列のデータ列に変換する変換回路９ａ、９ｂに供給される。そしてこの変換回路９ａ、９ｂから、それぞれＡ／Ｃヘッド及びＢ／Ｄヘッドに供給されるデータ列が出力端子１０ａ、１０ｂに取り出される。
【００２５】
すなわちこの装置において、入力端子１に供給される任意のデータ列が時系列でアウターパリティの生成付加回路２に供給される。そして例えば図３のＡに示すように、７７バイトのデータ列に対して２７バイトのアウターパリティが生成され、このアウターパリティがデータ列に付加される。このアウターパリティの付加されたデータ列がランダムアクセスメモリ３に記憶される。
【００２６】
このランダムアクセスメモリ３には、例えば図３のＢに示すように、アウターパリティの付加されたデータ列が順次記憶される。さらに例えばこのアウターパリティの付加されたデータ列の２１４に対して、例えば図３のＣに示すように、アウターパリティの系列と直交する系列で、ランダムアクセスメモリ３の読み出しが行われる。
【００２７】
この直交する系列で読み出されたデータ列がインナーパリティの生成付加回路５に供給される。そして例えば図３のＤに示すように、直交する系列で読み出された２１４バイトのデータ列に対して、２バイトのブロックＩＤが設けられ、このブロックＩＤを含む２１６バイトのデータ列に対して１２バイトのインナーパリティが生成され、このインナーパリティがデータ列に付加される。さらにこのインナーパリティの付加されたデータ列がランダム化回路６に供給される。
【００２８】
従ってこの装置において、入力されたデータ列に対して、一の系列でアウターパリティが付加された後、他の系列でインナーパリティが付加される。そしてこれらのパリティの付加されたデータ列が記録再生されることによって、これらを用いて記録再生時の誤りの発生への対処が行われる。
【００２９】
なお、記録再生の行われるＡ／Ｃヘッド及びＢ／Ｄヘッドは、例えば図４に示すように、Ａチャンネルのヘッド１１ａとＣチャンネルのヘッド１１ｃが１８０度対向して設けられ、Ｂチャンネルのヘッド１１ｂとＤチャンネルのヘッド１１ｄが１８０度対向して設けられると共に、ヘッド１１ａと１１ｂ、ヘッド１１ｃと１１ｄが近接して設けられる。
【００３０】
従って、出力端子１０ａ、１０ｂには、Ａ／Ｃヘッド及びＢ／Ｄヘッドに供給されるデータ列がそれぞれ連続して取り出されると共に、出力端子１０ｂに取り出されるＢ／Ｄヘッドに供給されるデータ列には、記録媒体上での記録位置が揃うように、ヘッド１１ａと１１ｂ及びヘッド１１ｃと１１ｄの間隔に対応した所定の遅延量が、上述の遅延回路８で設けられている。
【００３１】
また各ヘッドで行われる記録再生は、例えば１回のヘッドの走査で形成される斜めの１トラックに対して、７７×２１４バイトの入力データ列にアウター／インナーパリティ等の付加されたＥＣＣブロックの、２ブロック分が記録再生される。すなわち上述の４個のヘッドの設けられたヘリカルスキャン型のヘッドドラムの１回転では、４トラックが形成され、ＥＣＣブロックの８ブロック分が記録再生される。
【００３２】
そしてさらに上述の装置において、ヘリカルスキャン型のヘッドドラムの１回転で記録される８個のＥＣＣブロックに対して、図２に示すように８個のＥＣＣブロックに対して、アウターパリティの系列を分割してＥＣＣブロックを横断する方向に行われ、さらにこの分割ごとにＥＣＣブロックを横断する方向に所定量ずつ読み出し開始位置をシフトして読み出が行われる。
【００３３】
従って記録媒体には、アウターパリティの系列を分割したデータ列が異なるトラックに記録される。これによって、例えば１トラックが連続して誤りとなっても、この誤りは上述のＥＣＣブロックを形成するデータ列の１／４であり、上述のように７７バイトのデータ列に２７バイトのアウターパリティを付加している場合には、この誤りを訂正することが可能となる。
【００３４】
それと共に記録媒体には、例えば図５に示すようにＡ１、Ａ２・・・、Ｂ７、Ｂ８・・・、Ｃ５、Ｃ６・・・、Ｄ３、Ｄ４・・・のように所定量ずつシフトして記録が行われる。これによって、例えば記録媒体の走行方向に損傷が発生して、各トラックの特定の位置のデータ列が誤りとなっても、例えばＡ１に誤りが発生したときには、Ｂ７、Ｃ５、Ｄ３に誤りが発生することになり、すなわち上述の図２で同じＥＣＣブロックに誤りが集中することがなくなる。
【００３５】
こうして上述の装置によれば、ヘッドに分配されたデータ列が、ヘッドごとの記録されるタイミングでブロックを横断する方向に所定量ずつシフトして供給されることによって、記録媒体の走行方向に損傷が発生した場合にも一つのブロックに誤りが集中することがなく、全体のデータ列の再生を良好に行うことができるものである。
【００３６】
なお、記録媒体に記録されるＡ１、Ａ２・・・、Ｂ１、Ｂ２・・・、Ｃ１、Ｃ２・・・、Ｄ１、Ｄ２・・・のデータ列は、それぞれ上述の例えば２１４＋２＋１２＝２２８バイトのデータ列に、例えば４バイトの同期パターンが付加された、例えば２３２バイトのデータ列とされる。
【００３７】
また、上述のシフトされる所定量は多いほど効果があるが、上述のように８つのＥＣＣブロックを巡回している場合には、この８ブロックをヘッドの数の４で除した数以上では、同じブロックに戻ることになるので、上述のように２ブロックに相当する２つのデータ列を所定量とするとするのが適当である。
【００３８】
【発明の効果】
この発明によれば、ヘッドに分配されたデータ列が、ヘッドごとの記録されるタイミングでブロックを横断する方向に所定量ずつシフトして供給されることによって、記録媒体の走行方向に損傷が発生した場合にも一つのブロックに誤りが集中することがなく、全体のデータ列の再生を良好に行うことができるようになった。
【図面の簡単な説明】
【図１】本発明による磁気記録装置の一例の構成図である。
【図２】本発明によるメモリの読み出しの説明のための図である。
【図３】アウター／インナーパリティの説明のための図である。
【図４】記録ヘッドの配置を示す構成図である。
【図５】本発明によるテープ上の記録パターンを示す図である。
【図６】従来のメモリの読み出しの説明のための図である。
【図７】従来のテープ上の記録パターンを示す図である。
【符号の説明】
１  入力端子
２  アウターパリティの生成付加回路
３  ランダムアクセスメモリ
４  メモリ制御回路
５  インナーパリティの生成付加回路
６  ランダム化回路
７  同期発生回路
８  遅延回路
９ａ、９ｂ  並列のデータ列を直列のデータ列に変換する変換回路
１０ａ、１０ｂ  出力端子
【図１】
0003687109.tif 000002
【図２】
0003687109.tif 000003
【図３】
0003687109.tif 000004
【図４】
0003687109.tif 000005
【図５】
0003687109.tif 000006
【図６】
0003687109.tif 000007
【図７】
0003687109.tif 000008